(57)【要約】【課題】貯湯槽内の水温上昇を防止し、エネルギー効率の高い給湯運転を実施できるヒートポンプ給湯装置を提供すること。【解決手段】圧縮機３１、給湯用熱交換器３２、減圧装置３３、蒸発器３４を順次接続した冷媒回路と、循環ポンプ４３、前記給湯用熱交換器３２を順に介して貯湯槽４１内の水を加熱する給湯回路４６と、前記給湯回路４６の前記給湯用熱交換器３２下流側に設けた三方弁４４と、前記三方弁４４と前記給湯回路４６の前記循環ポンプ４３の上流側とを接続したバイパス回路４７とを備え、前記バイパス回路４７に放熱手段４８を設けたことを特徴とするヒートポンプ給湯装置で、貯湯槽４１下部の水温上昇を防止し、エネルギー効率の高い給湯運転を行うことができる。【選択図】図１
2009097799.tif 000002
【特許請求の範囲】
【請求項１】
圧縮機、給湯用熱交換器、減圧装置、蒸発器を順次接続した冷媒回路と、循環ポンプ、前記給湯用熱交換器を順に介して貯湯槽内の水を加熱する給湯回路と、前記給湯回路の前記給湯用熱交換器下流側に設けた三方弁と、前記三方弁と前記給湯回路の前記循環ポンプの上流側とを接続したバイパス回路とを備え、前記バイパス回路に放熱手段を設けたことを特徴とするヒートポンプ給湯装置。
【請求項２】
冷媒として炭酸ガスを用いたことを特徴とする請求項１記載のヒートポンプ給湯装置。
【発明の詳細な説明】
【技術分野】
【０００１】
本発明は貯湯式のヒートポンプ給湯装置に関する。
【背景技術】
【０００２】
従来、この種のヒートポンプ給湯装置は、図２に示すものがある（例えば、特許文献１参照）。図２に示すように、この給湯機は貯湯槽２と、ヒートポンプ３による加熱源を備え、貯湯槽２の下部から沸上げ管１１でヒートポンプ３と接続し、ヒートポンプ３から貯湯槽２上部へ接続している。 
【０００３】
また、浴槽６内の湯水を加熱するための風呂加熱熱交換器１９において、利用側は風呂循環ポンプ２７により、浴槽６内の湯水を循環するように接続され、また熱源側は循環ポンプ２３により貯湯槽２上部の高温の湯を循環して貯湯槽２の下部に環流している。
【０００４】
この様に、風呂循環ポンプ２７と循環ポンプ２３を動作させることにより熱源側の高温水と利用側の低温水が風呂加熱熱交換器１９で熱交換することにより浴槽６内の湯水の保温あるいは追い焚きが行われる。また、熱源側の高温水は貯湯槽２の上部より循環ポンプ２３により風呂加熱熱交換器１９に送られ、利用側の低温水と熱交換した後、貯湯槽２下部付近に環流される。
【特許文献１】特開２００４−２９３８３７号公報
【発明の開示】
【発明が解決しようとする課題】
【０００５】
しかしながら、上記構成では、風呂加熱熱交換器１９での熱交換より３０〜５０℃程度の中温水が貯湯槽２に貯まっていく。中温水は湯温が低いため風呂の追い焚きに用いることはできない。また、中温水をそのまま貯留しておくと貯湯槽２内の蓄熱量が減少するため湯切れの原因となる。そのため、中温水をヒートポンプ３で加熱することになるが、湯水の温度が高いためヒートポンプ３の効率低下を招くと言う課題があった。
【０００６】
本発明は前記従来の課題を解決するもので、貯湯槽内の水温上昇を防止し、エネルギー効率の高い給湯運転を実施できるヒートポンプ給湯装置を提供することを目的とする。
【課題を解決するための手段】
【０００７】
前記従来の課題を解決するために、本発明のヒートポンプ給湯装置は、圧縮機、給湯用熱交換器、減圧装置、蒸発器を順次接続した冷媒回路と、循環ポンプ、前記給湯用熱交換器を順に介して貯湯槽内の水を加熱する給湯回路と、前記給湯回路の前記給湯用熱交換器下流側に設けた三方弁と、前記三方弁と前記給湯回路の前記循環ポンプの上流側とを接続したバイパス回路とを備え、前記バイパス回路に放熱手段を設けたことを特徴とするヒートポンプ給湯装置で、貯湯槽下部の水温上昇を防止し、エネルギー効率の高い給湯運転を行うことができる。
【発明の効果】
【０００８】
本発明によれば、貯湯槽内の水温上昇を防止し、エネルギー効率の高い給湯運転を実施できるヒートポンプ給湯装置を提供できる。
【発明を実施するための最良の形態】
【０００９】
第１の発明は、圧縮機、給湯用熱交換器、減圧装置、蒸発器を順次接続した冷媒回路と、循環ポンプ、前記給湯用熱交換器を順に介して貯湯槽内の水を加熱する給湯回路と、前
記給湯回路の前記給湯用熱交換器下流側に設けた三方弁と、前記三方弁と前記給湯回路の前記循環ポンプの上流側とを接続したバイパス回路とを備え、前記バイパス回路に放熱手段を設けたことを特徴とするヒートポンプ給湯装置で、貯湯槽下部の水温上昇を防止し、エネルギー効率の高い給湯運転を行うことができる。
【００１０】
第２の発明は、第１の発明の冷媒回路の冷媒として炭酸ガスを用いたので、給湯水の高温化を高効率で実現すると共に、冷媒が外部に漏れた場合にも、地球温暖化への影響は非常に少なくなる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態におけるヒートポンプ給湯装置の構成図を示すものである。
【００１３】
図１において、圧縮機３１、給湯用熱交換器３２、減圧装置３３、蒸発器３４を順に環状に接続し、冷媒として炭酸ガスを封入して冷媒循環回路を形成し、蒸発器３４は、外気を送風するためのファン３５を備えている。また、貯湯槽４１、貯湯槽下部の取水口４２、循環ポンプ４３、給湯用熱交換器３２、三方弁４４、貯湯槽上部の温水戻り口４５を順次接続した給湯回路４６と、三方弁４４と貯湯槽下部の取水口４２と循環ポンプ４３の間の配管に風呂加熱熱交換器４８を介して接続するバイパス回路４７を構成しており、圧縮機３１より吐出された高温高圧の過熱ガス冷媒は給湯用熱交換器３２に流入し、ここで循環ポンプ４３から送られてきた水を加熱するようになっている。
【００１４】
また、浴槽５０内の湯水を加熱するための風呂加熱熱交換器４８において、利用側は風呂循環ポンプ４９により、浴槽５０内の湯水を循環するように接続されている。
【００１５】
さらに、給湯用熱交換器３２に流入する入水温度を検知する入水温度センサー５１と給湯用熱交換器３２から流出する出湯温度を検知する出湯温度センサー５２と風呂加熱熱交換器４８に流入する入水温度を検知する風呂温度センサー５３と風呂加熱熱交換器４８から風呂へ戻る湯温を検知する風呂戻り温度センサー５４と室外気温を検知する室外気温センサー５５、圧縮機３１の吐出冷媒温度を検出する吐出温度センサー５６、蒸発器３４の出口冷媒温度を検出する蒸発器出口温度センサー５７を設け、圧縮機３１の運転周波数や減圧装置３３の開度、ファン３５の回転数、循環ポンプ４３および風呂循環ポンプ４９の回転数を制御する制御装置５８を設置している。冷媒は二酸化炭素を用いている。
【００１６】
以上のように構成されたヒートポンプ給湯装置について、以下その動作、作用を説明する。
【００１７】
通常の運転時では、ヒートポンプ給湯装置の運転を開始すると、循環ポンプ４３、ファン３５が運転され、入水温度センサー５１により貯湯槽４１から給湯用熱交換器３２に流入する入水温度が計測され、室外気温センサー５５により室外気温が計測され、吐出温度センサー５６により圧縮機３１の吐出冷媒温度が計測され、入水温度、室外気温、吐出冷媒温度と出湯目標温度により、圧縮機３１の運転周波数、減圧装置３３の初期開度Ｐ１はあらかじめ設定されたテーブルから選択し、決定され、圧縮機３１の運転が開始される。
【００１８】
圧縮機３１より吐出された冷媒は、圧縮機３１運転開始時は低温低圧の冷媒であるが、圧縮機３１の回転数の増加に伴い、次第に高温高圧の過熱ガス冷媒となる。
【００１９】
そして、高温高圧となった冷媒は給湯用熱交換器３２に流入し、ここで循環ポンプ４３から送られてきた水と熱交換し加熱する。そして、冷媒は中温高圧となり、減圧装置３３で減圧された後、蒸発器３４に流入し、ここでファン３５で送風された外気と熱交換して蒸発ガス化し、圧縮機３１にもどる。
【００２０】
一方、循環ポンプ４３で送られた給湯水は給湯用熱交換器３２で加熱され、湯温度が給湯設定温度（例えば８０℃）より第一の所定値（例えば１０ｄｅｇ）ほど低い温度（７０℃）より低い（例えば６５℃）場合、温水は三方弁４４は給湯用熱交換器３２とバイパス回路４７を連通させるように制御され、バイパス回路４７を経て循環ポンプ４３に戻される。さらに、湯温度が給湯設定温度（例えば８０℃）より第一の所定値（例えば１０ｄｅｇ）ほど低い温度（７０℃）より高くなると三方弁４４は給湯用熱交換器３２と貯湯槽上部の温水戻り口４５を連通させるように制御され、湯は貯湯槽４１の上部に流入し、上から次第に貯湯されて行き、沸き上げ運転時間の経過とともに貯湯槽４１内に湯が貯まって行く。
【００２１】
沸き上げ運転完了近くになると、貯湯槽４１下部より循環ポンプ４３を経て流入する水温は高くなり、入水温度が設定値以上になると、貯湯槽４１に湯が貯まったと判断し、圧縮機３１、循環ポンプ４３、ファン３５の運転を停止し、沸上を完了する。
【００２２】
次に、風呂温度がリモコンの設定温度より低下したり、リモコンにより風呂加熱運転を選択され、ヒートポンプ給湯装置の運転が開始されると、風呂循環ポンプ４９、ファン３５が運転され、風呂温度センサー５３により風呂１３から風呂加熱熱交換器４８に流入する風呂湯温度が計測され、室外気温センサー５５により室外気温が計測され、吐出温度センサー５６により圧縮機３１の吐出冷媒温度が計測され、風呂湯温度、室外気温、風呂目標温度により、圧縮機３１の運転周波数、減圧装置３３の初期開度Ｐ１はあらかじめ設定されたテーブルから選択し、決定され、圧縮機３１と循環ポンプ４３の運転が開始される。
【００２３】
圧縮機３１より吐出された高温高圧の冷媒は給湯用熱交換器３２に流入し、ここで循環ポンプ４３から送られてきた水と熱交換し加熱する。そして、冷媒は中温高圧となり、減圧装置３３で減圧された後、蒸発器３４に流入し、ここでファン３５で送風された外気と熱交換して蒸発ガス化し、圧縮機３１にもどる。
【００２４】
一方、循環ポンプ４３で送られた給湯水は給湯用熱交換器３２で加熱され、三方弁４４は給湯用熱交換器３２とバイパス回路４７を連通させるように制御され、バイパス回路４７に流入し風呂加熱熱交換器４８を経て循環ポンプ４３に戻される。この時循環ポンプ４３は風呂目標温度より一定値（例えば１０ｄｅｇ）高い温度となるように、流量を制御する。また風呂加熱熱交換器４８では、冷媒回路により加熱された温水と風呂湯を熱交換して、風呂湯を加熱する。風呂湯温度が風呂目標温度以上になると、風呂の加熱が完了したと判断し、圧縮機３１、循環ポンプ４３、風呂循環ポンプ４９、ファン３５の運転を停止し、風呂加熱運転を完了する。
【００２５】
その結果、従来の機器のに新たな構成部品を追加することなく、また、貯湯槽の湯を利用して風呂を加熱せず、ヒートポンプにより、浴槽５０内の湯水を加熱することにより、貯湯槽４１内の温水の温度を低下させることがない。また、貯湯槽下部の水温上昇を防止することができるため、ヒートポンプでよりエネルギー効率の高い給湯運転を行うことができる。
【００２６】
なお、本実施の形態においては、放熱器を風呂加熱熱交換器４８として説明したが、床暖房機等に用いる加熱熱交換器でも良い。
【産業上の利用可能性】
【００２７】
以上のように、本発明にかかるヒートポンプ給湯装置は、エネルギー効率の高い給湯運転が可能となるため、高温の湯を利用した空調機等の用途にも適用できる。
【図面の簡単な説明】
【００２８】
【図１】本発明の実施の形態１におけるのヒートポンプ給湯装置の構成図
【図２】従来のヒートポンプ給湯装置の構成図
【符号の説明】
【００２９】
１２  風呂循環ポンプ
１３  浴槽
３１  圧縮機
３２  給湯用熱交換器
３３  減圧装置（絞り装置）
３４  蒸発器
３５  ファン
４１  貯湯槽
４２  貯湯槽下部の取水口
４３  循環ポンプ
４４  三方弁
４５  貯湯槽上部の温水戻り口
４６  給湯回路
４７  バイパス回路
４８  風呂加熱熱交換器
４９  風呂循環ポンプ
５０  浴槽
５１  入水温度センサー
５２  出湯温度センサー
５３  風呂温度センサー
５４  風呂戻り温度センサー
５５  室外気温センサー
５６  吐出温度センサー
５７  蒸発器出口温度センサー
５８  制御装置
【図１】
2009097799.tif 000003
【図２】
2009097799.tif 000004